(57)【要約】【課題】  実用的で取り扱いや管理が簡単で適確にＬＣＤガラスパネル表面へ偏光板の接着剤面を貼り付けられるＬＣＤ用偏光板貼り付け装置を提供すること。【解決手段】  このＬＣＤ用偏光板貼り付け装置の場合、可搬用脚付き台座による装置本体５上に載置されたＬＣＤガラスパネル４表面に対し、偏光板貼り付け機構の貼り付けローラ３１により偏光板１における接着剤の無い表面側を押圧回転（回転方向は時計回り）して偏光板１の接着剤面を密着させて貼り付ける際、偏光板１の貼り付けに先立ってセパレータ巻取り機構のセパレータ巻取りローラ６によりセパレータ２を巻き取って接着剤面をむき出し状態にし、偏光板１の接着剤面におけるＬＣＤガラスパネル４表面への貼り付けを貼り付けローラ３１によりセパレータ２の巻取りに追従して行う。補強ローラ３２は、貼り付けローラ３１に接触して反転（回転方向は反時計回り）し、偏光板１の撓みを抑制する。【選択図】    図１
2007298792.tif 000002
【特許請求の範囲】
【請求項１】
接着剤の塗布により偏光板に貼り合わされたセパレータを剥がして該接着剤面をむき出しにした状態で液体表示装置ガラスパネル面に対して貼り付ける際に適用される液体表示装置用偏光板貼り付け装置において、前記偏光板の貼り付けに際して自動的に回転駆動して該偏光板における前記接着剤面を前記液体表示装置ガラスパネル面に対して押圧しながら貼り付ける貼り付けローラを含む偏光板貼り付け機構と、前記偏光板の貼り付けに先立って前記セパレータを巻き取って前記接着剤面をむき出し状態とするセパレータ巻取りローラを含むセパレータ巻取り機構とを備えたことを特徴とする液体表示装置用偏光板貼り付け装置。
【請求項２】
請求項１記載の液体表示装置用偏光板貼り付け装置において、前記セパレータ巻取り機構は、前記セパレータ巻取りローラの回転を補正するために電圧制御されるヒステリシスクラッチを備えたことを特徴とする液体表示装置用偏光板貼り付け装置。
【請求項３】
請求項１又は２記載の液体表示装置用偏光板貼り付け装置において、前記セパレータ巻取りローラは、前記貼り付けローラの軸受け部の移動量に同期して回転駆動されることを特徴とする液体表示装置用偏光板貼り付け装置。
【請求項４】
請求項１〜３の何れか一つに記載の液体表示装置用偏光板貼り付け装置において、前記貼り付けローラに用いられるゴムの硬度（ＪＩＳ  Ｋ  ６２５３）は、４０度から５０度の範囲であることを特徴とする液体表示装置用偏光板貼り付け装置。
【請求項５】
請求項１〜４の何れか一つに記載の液体表示装置用偏光板貼り付け装置において、前記セパレータ巻取りローラと前記貼り付けローラとは、伝達手段の介在により同期駆動されることを特徴とする液体表示装置用偏光板貼り付け装置。
【請求項６】
請求項１〜５の何れか一つに記載の液体表示装置用偏光板貼り付け装置において、前記セパレータ巻取り機構は、前記セパレータ巻取りローラに連動して移動すると共に、前記セパレータの引き剥がし張力を一定にさせるためのセパレータ補助支柱を備えたことを特徴とする液体表示装置用偏光板貼り付け装置。
【請求項７】
請求項１〜６の何れか一つに記載の液体表示装置用偏光板貼り付け装置において、前記偏光板貼り付け機構は、前記貼り付けローラの移動距離を制御するモータと、前記貼り付けローラの移動距離を定位置で停止させるカウンタ機能を持つ制御ボックスとを備えたことを特徴とする液体表示装置用偏光板貼り付け装置。
【請求項８】
請求項１〜７の何れか一つに記載の液体表示装置用偏光板貼り付け装置において、前記偏光板貼り付け機構は、前記貼り付けローラに接触して反転すると共に、前記偏光板の撓みを抑制するための補強ローラを備えたことを特徴とする液体表示装置用偏光板貼り付け装置。
【発明の詳細な説明】
【技術分野】
【０００１】
本発明は、主として接着剤の塗布により偏光板に貼り合わされたセパレータを剥がして接着剤面をむき出しにした状態で液体表示装置（以下、ＬＣＤとする）ガラスパネル面に対して貼り付ける際に適用されると共に、偏光板からセパレータを剥がす機能と偏光板を貼り付ける機能とを同時に合わせ持ったＬＣＤ用偏光板貼り付け装置に関する。
【背景技術】
【０００２】
近年、デジタル家電の新規市場ではＬＣＤＴＶが登場し、今後大きな需要が見込まれている。これに伴い、ＬＣＤＴＶに用いられるＬＣＤガラスパネルのサイズを拡大させるための競争において覇権が争われているが、その反面、高価なＬＣＤガラスパネルの修理技術が遅れていることにより、先行した大型ＬＣＤガラスパネルの偏光板に対する修理を自動化する装置を開発し、効率良く傷付いた表示画面を交換するための修理技術が求められている。
【０００３】
こうした修理技術では、大型ＬＣＤガラスパネル用偏光板の接着剤面（糊面）に貼り付けてあるセパレータの巻取りを自動化するための装置を具現化することが技術上において重要視されている。
【０００４】
具体的に言えば、周知の修理技術の場合、先ず図７に示されるようなセパレータ２が接着剤により貼り付けられている偏光板１について、図８に示されるように偏光板１の一端側からセパレータ２を人手により剥がして取り除き、偏光板１に塗布された接着剤をむき出しにした状態としておく。
【０００５】
図９は、上述したセパレータ２を完全に剥がした後の偏光板１をＬＣＤガラスパネル４に貼り付けるためのＬＣＤ用偏光板貼り付け装置（開発・製品化済みであるが、文献公知に係る発明でないもの）の基本構成を示した側面図である。
【０００６】
このＬＣＤ用偏光板貼り付け装置は、可搬用脚付き台座による装置本体５上の所定位置にＬＣＤガラスパネル４を載置し、貼り付けローラ３により偏光板１における接着剤の無い表面側を押圧回転（回転方向は時計回り）することにより、ＬＣＤガラスパネル４表面に対して接着剤がむき出しにされた偏光板１の接着剤面を密着させて貼り付けを行うようになっている。因みに、偏光板１はＬＣＤガラスパネル４に入射する光の１波長を選択するためのもので、ＬＣＤガラスパネル４にとっては不可欠なものである。
【発明の開示】
【発明が解決しようとする課題】
【０００７】
上述したＬＣＤ用偏光板貼り付け装置の場合、貼り付けローラを用いて偏光板を貼り付ける機能のみを有するものであり、偏光板のセパレータをＬＣＤガラスパネル表面に貼り付ける前に予め人手により剥がして取り除き、偏光板に塗布された接着剤をむき出し状態にしておく作業を要すること、換言すれば、手作業による偏光板に対するセパレータの剥がし工程と貼り付けローラを用いたＬＣＤガラスパネル表面に対する偏光板の接着剤面の貼り付け工程とが別段階として行われることにより、ＬＣＤガラスパネル表面への偏光板の接着剤面の貼り付けに至るまでに偏光板のむき出された接着剤面に微小な塵埃が付着し易く、こうしたときにはＬＣＤ表示画面上に黒い点の表示として視認されてしまう不具合になるため、修理技術に係る作業環境に細心の注意を要し、塵埃に対する十分な対策管理が必要となってしまい、結果として実用上で取り扱い難く、管理上においても細心の注意を要する煩雑さを解消し難いという問題がある。
【０００８】
本発明は、このような問題点を解決すべくなされたもので、その技術的課題は、実用的で取り扱いや管理が簡単で適確にＬＣＤガラスパネル表面へ偏光板の接着剤面を貼り付けられるＬＣＤ用偏光板貼り付け装置を提供することにある。
【課題を解決するための手段】
【０００９】
本発明によれば、接着剤の塗布により偏光板に貼り合わされたセパレータを剥がして該接着剤面をむき出しにした状態でＬＣＤガラスパネル面に対して貼り付ける際に適用されるＬＣＤ用偏光板貼り付け装置において、偏光板の貼り付けに際して自動的に回転駆動して該偏光板における接着剤面をＬＣＤガラスパネル面に対して押圧しながら貼り付ける貼り付けローラを含む偏光板貼り付け機構と、偏光板の貼り付けに先立ってセパレータを巻き取って接着剤面をむき出し状態とするセパレータ巻取りローラを含むセパレータ巻取り機構とを備えたＬＣＤ用偏光板貼り付け装置が得られる。
【００１０】
又、本発明によれば、上記ＬＣＤ用偏光板貼り付け装置において、セパレータ巻取り機構は、セパレータ巻取りローラの回転を補正するために電圧制御されるヒステリシスクラッチを備えたＬＣＤ用偏光板貼り付け装置が得られる。
【００１１】
更に、本発明によれば、上記何れかのＬＣＤ用偏光板貼り付け装置において、セパレータ巻取りローラは、貼り付けローラの軸受け部の移動量に同期して回転駆動されるＬＣＤ用偏光板貼り付け装置が得られる。
【００１２】
加えて、本発明によれば、上記何れか一つのＬＣＤ用偏光板貼り付け装置において、貼り付けローラに用いられるゴムの硬度（ＪＩＳ  Ｋ  ６２５３）は、４０度から５０度の範囲であるＬＣＤ用偏光板貼り付け装置が得られる。
【００１３】
一方、本発明によれば、上記何れか一つのＬＣＤ用偏光板貼り付け装置において、セパレータ巻取りローラと貼り付けローラとは、伝達手段の介在により同期駆動されるＬＣＤ用偏光板貼り付け装置が得られる。
【００１４】
他方、本発明によれば、上記何れか一つのＬＣＤ用偏光板貼り付け装置において、セパレータ巻取り機構は、セパレータ巻取りローラに連動して移動すると共に、セパレータの引き剥がし張力を一定にさせるためのセパレータ補助支柱を備えたＬＣＤ用偏光板貼り付け装置が得られる。
【００１５】
又、本発明によれば、上記何れか一つのＬＣＤ用偏光板貼り付け装置において、偏光板貼り付け機構は、貼り付けローラの移動距離を制御するモータと、貼り付けローラの移動距離を定位置で停止させるカウンタ機能を持つ制御ボックスとを備えたＬＣＤ用偏光板貼り付け装置が得られる。
【００１６】
更に、本発明によれば、上記何れか一つのＬＣＤ用偏光板貼り付け装置において、偏光板貼り付け機構は、貼り付けローラに接触して反転すると共に、偏光板の撓みを抑制するための補強ローラを備えたＬＣＤ用偏光板貼り付け装置が得られる。
【発明の効果】
【００１７】
本発明のＬＣＤ用偏光板貼り付け装置の場合、偏光板の貼り付けに先立ってセパレータを巻き取って接着剤面をむき出し状態とするセパレータ巻取りローラを含むセパレータ巻取り機構を備えると共に、偏光板の接着剤面におけるＬＣＤガラスパネル表面への貼り付けを偏光板貼り付け機構の貼り付けローラによりセパレータの巻取りに追従して行うため、従来装置を用いた場合のように偏光板をＬＣＤガラスパネル表面に貼り付ける前に予め人手によりセパレータを剥がして取り除いて接着剤をむき出し状態にしておく必要がなく、ＬＣＤガラスパネル表面への偏光板の接着剤面の貼り付けに至るまでの所用時間が短くなると共に、その間に偏光板のむき出された接着剤面に微小な塵埃が付着し難くなり、結果として実用的で偏光板の取り扱いや管理が簡単となり、しかも適確にＬＣＤガラスパネル表面へ偏光板の接着剤面を貼り付けられるようになる。換言すれば、偏光板をＬＣＤガラスパネルに貼り付ける際のセパレータの剥がしが自動化されることにより、事前にセパレータを剥がすことがなく業務の効率化が図られ、付着する塵埃も防ぐことが可能となる他、液晶ＴＶ（ＬＣＤＴＶ）に代表される大型ＬＣＤガラスパネルを対象として偏光板を貼り付けるときに１人による作業が可能となって業務を効率化できることにより、特に大型ＬＣＤガラスパネルの修理技術分野で多大な便宜が図られるようになる。
【発明を実施するための最良の形態】
【００１８】
本発明の最良の形態に係るＬＣＤ用偏光板貼り付け装置は、接着剤の塗布により偏光板に貼り合わされたセパレータを剥がして接着剤面をむき出しにした状態でＬＣＤガラスパネル面に対して貼り付ける際に適用されるものにおいて、偏光板の貼り付けに際して自動的に回転駆動して偏光板における接着剤面をＬＣＤガラスパネル面に対して押圧しながら貼り付ける貼り付けローラを含む偏光板貼り付け機構と、偏光板の貼り付けに先立ってセパレータを巻き取って接着剤面をむき出し状態とするセパレータ巻取りローラを含むセパレータ巻取り機構とを備えたものである。
【００１９】
但し、このＬＣＤ用偏光板貼り付け装置の場合、セパレータ巻取り機構は、セパレータ巻取りローラの回転を補正するために電圧制御されるヒステリシスクラッチを備えること、或いはそのセパレータ巻取りローラは、貼り付けローラの軸受け部の移動量に同期して回転駆動されること、更に貼り付けローラに用いられるゴムの硬度（ＪＩＳ  Ｋ  ６２５３）は、４０度から５０度の範囲であることがそれぞれ好ましい。又、セパレータ巻取りローラと貼り付けローラとは、伝達手段の介在により同期駆動されることが好ましい。更に、セパレータ巻取り機構については、セパレータ巻取りローラに連動して移動すると共に、セパレータの引き剥がし張力を一定にさせるためのセパレータ補助支柱を備えたことが好ましい。加えて、偏光板貼り付け機構については、貼り付けローラの移動距離を制御するモータと、貼り付けローラの移動距離を定位置で停止させるカウンタ機能を持つ制御ボックスとを備えたこと、更に貼り付けローラに接触して反転すると共に、偏光板の撓みを抑制するための補強ローラを備えたことがそれぞれ好ましい。
【００２０】
以下は、本発明のＬＣＤ用偏光板貼り付け装置について、幾つかの具体的な実施例を挙げ、図面を参照して詳細に説明する。
【実施例１】
【００２１】
図１は、本発明の実施例１に係るＬＣＤ用偏光板貼り付け装置の概略構成を示した側面図である。
【００２２】
この偏光板貼り付け装置は、図９に示した周知装置と比べ、可搬用脚付き台座による装置本体５上の所定位置にＬＣＤガラスパネル４を載置し、貼り付けローラ３１により偏光板１における接着剤の無い表面側を押圧回転（回転方向は時計回り）することにより、ＬＣＤガラスパネル４表面に対して接着剤がむき出しにされた偏光板１の接着剤面を密着させて貼り付けを行う基本構成自体は同様に持たされているが、ここでは偏光板１の貼り付けに際して自動的に回転駆動して偏光板１における接着剤面をＬＣＤガラスパネル４面に対して押圧しながら貼り付ける貼り付けローラ３１を含む偏光板貼り付け機構を備える他、特に偏光板１の貼り付けに先立ってセパレータ２を巻き取って接着剤面をむき出し状態とするセパレータ巻取りローラ６を含むセパレータ巻取り機構を備えた点を特色としている。
【００２３】
このうち、偏光板貼り付け機構は、貼り付けローラ３１に接触して反転すると共に、偏光板１の撓みを抑制するための補強ローラ３２を備える他、貼り付けローラ３１及び補強ローラ３２を共通して取り付けるための取り付け板３３と、取り付け板３３内の貼り付けローラ３１及び補強ローラ３２をＬＣＤガラスパネル４表面側に対して適度に加圧するための押し付けシリンダ３４とを備えている。又、装置本体５上に載置されたＬＣＤガラスパネル４については、偏光板１との間で位置合せするための縁端４１が定められる。更に、偏光板１については、ＬＣＤガラスパネル４表面上に対して接着剤を保護するためのセパレータ２を下向きになるように配置する。偏光板１における偏光層は、例えば約０．２ｍｍ厚さのクラレ社が開発したポリビニルアルコール（ＰＶＡ）フィルム及び一般的なトリアセテート（ＴＡＣ）フィルム層である場合を例示でき、更に偏光層は、表面を傷や打痕に対して保護するための表面保護フィルムと、接着剤の乾燥を保護するためのセパレータ２とで挟まれた構成とし、両素材の何れについても主として約０．１ｍｍ厚さのポリエステルフィルムを使用する場合を例示できる。
【００２４】
セパレータ巻取り機構におけるセパレータ巻取りローラ６は、自動駆動される貼り付けローラ３１による偏光板１の接着剤面のＬＣＤガラスパネル４表面上に対する貼り付けに先立ち、セパレータ２を剥がしながら剥がされる部分に露呈される偏光板１の接着剤面をＬＣＤガラスパネル４の表面上へ貼り付けられるように貼り付けローラ３１へと受け渡す。因みに、セパレータ巻取りローラ６と貼り付けローラ３１とは、歯車，ベルト等の伝達手段の介在により同期駆動されるようになっている。
【００２５】
即ち、このＬＣＤ用偏光板貼り付け装置を使用する場合、先ず装置本体５上で偏光板１の端辺をＬＣＤガラスパネル４の縁端４１に位置合わせし、次に偏光板１のセパレータ２の先端を別途接着テープによりセパレータ巻き取りローラ６に固定した後、貼り付けローラ３１を偏光板１上の縁端４１に接触させながら自動的に回転駆動させ、偏光板１の接着剤面とＬＣＤガラスパネル４面とを貼り付けローラ３１に対する押し付けローラ３４のエアーシリンダ押し圧力により貼り付ける。
【００２６】
このＬＣＤ用偏光板貼り付け装置では、ＬＣＤガラスパネル４としてＴＶ用に代表される４０インチ〜５０インチのサイズの大型ＬＣＤを対象としており、貼り付けローラ３１の押し付け時に撓みを抑止するために同径の補強ローラ３２を貼り付けローラ３１上部に配置させている。補強ローラ３２は、貼り付けローラ３１に接触されるもので、貼り付けローラ３１の回転により反対方向へ摩擦回転する。これらの貼り付けローラ３１及び補強ローラ３２は、共通の取り付け板３３により各々ベアリング軸受け部で取り付けられ、上述した押し付けローラ３４のエアーシリンダによる押し圧力が取り付け板３３の上部を押圧する構成となっている。これにより、貼り付けローラ３１の軸径を太くしたとしても、１本の回転駆動系にした場合に発生する軸方向の撓みが無くなり、気泡及びムラのない平坦な貼り付けが可能となる。
【００２７】
図２は、このＬＣＤ用偏光板貼り付け装置に備えられるセパレータ巻取り機構の細部を示した上面図である。
【００２８】
ここでのセパレータ巻取り機構は、貼り付けローラ３１の軸受け部の移動量に同期して回転駆動される円形のセパレータ巻き取りローラ６と、セパレータ巻き取りローラ６を支える軸受け部１１と、セパレータ巻取りローラ６の回転を補正するために電圧制御されるヒステリシスクラッチ７とを備える他、モータ９、モータ９に結合される変速ギヤヘッド１０、及びヒステリシスクラッチ７への専用とする直流（ＤＣ）電源８を備えて構成されている。
【００２９】
このように、軸受け部１１で支えられたセパレータ巻取りローラ６をヒステリシスクラッチ７に連動させ、貼り付けローラ３１の回転駆動に同期した回転を与える構造とする。ヒステリシスクラッチ７への制御は、装置外部の電圧コントロール機能として働くＤＣ電源８によりセパレータ２の接着力に対応してトルク伝達及び回転数レベルを変化させることができる。ヒステリシスクラッチ７は、トルク伝達を非接触で行い、正確な精度を必要とする張力制御や速度制御に優れたヒステリシス特性を持つもので、励磁電流に追随したトルクを正確に発生させることができ、且つ機械的な接触部分がない伝達・遮断機構となっている。又、駆動源となるモータ９から所望の回転を得るための変速ギヤヘッド１０を介してヒステリシスクラッチ７に必要な回転数が伝達され、これによってセパレータ巻取りローラ６でセパレータ２を巻き取る速さと貼り付けローラ３が前進する速度とのバランスを適度に保つことが可能となる。
【００３０】
因みに、ここでの貼り付けローラ３１は、直径Φが４０ｍｍの金属製芯棒にゴムライニングされたものとし、ゴム硬度（ＪＩＳ  Ｋ  ６２５３）はＬＣＤガラスパネル４面への押し圧力を試行して４５度のものを採用（４０度〜５０度の間であれば良い）した。又、セパレータ巻き取りローラ６は、試行の結果として直径Φが２０ｍｍの円形断面金属棒とした。
【００３１】
図３は、このＬＣＤ用偏光板貼り付け装置に備えられる偏光板貼り付け機構及びセパレータ巻取り機構の基本動作を説明するために示した要部の拡大模式図である。
【００３２】
ここでは、偏光板１の接着剤面をＬＣＤガラスパネル４の表面上に貼り付けるとき、偏光板貼り付け機構における貼り付けローラ３１が反時計回り（左回り）に回転駆動［補強ローラ３２の方は時計回り（右回り）に回転駆動］して偏光板１の接着剤面とは反対の面を押圧しながらＬＣＤガラスパネル４の表面上に接着剤面を貼り付ける際、それに先立ってセパレータ巻取り機構におけるセパレータ巻取りローラ６が時計回り（右回り）に回転駆動してセパレータ２を巻取りした様子を示している。
【００３３】
図４は、この実施例１に係るＬＣＤ用偏光板貼り付け装置に備えられる偏光板貼り付け機構及びセパレータ巻取り機構の動作機能を説明するために示したフローチャートである。
【００３４】
ここでは、偏光板貼り付け機構とセパレータ巻取り機構とにおける動作機能上の系統図を示しているが、具体的には、偏光板貼り付け機構の場合、ＤＣモータ，定速回転を得るためのギヤヘッドで構成され、セパレータ巻取り機構の場合、基本的にはＤＣモータ９，ギヤヘッド（変速ギヤヘッド１０），及びヒステリシスクラッチ７で構成される他、ヒステリシスクラッチ７の回転を制御するための外部に設置されるＤＣ電源８が加わる。
【００３５】
特にセパレータ巻取り機構では、偏光板１におけるセパレータ２の大きさにより剥がし張力が異なるため、貼り付けローラ３１の回転に合わせてセパレータ巻き取りローラ６の回転を変化させる必要があるため、ＤＣ電源８を人手により制御（電圧調整）しながらヒステリシスクラッチ７の励磁を変化させることにより、セパレータ巻き取りローラ６の回転を貼り付けローラ３１の回転に同期させる構成とする。
【実施例２】
【００３６】
図５は、本発明の実施例２に係るＬＣＤ用偏光板貼り付け装置に備えられる偏光板貼り付け機構及びセパレータ巻取り機構の基本動作を説明するために示した要部の拡大模式図である。
【００３７】
この実施例２に係るＬＣＤ用偏光板貼り付け装置は、先の実施例１に係る装置と比べ、セパレータ巻取り機構として、セパレータ巻取りローラ６と偏光板１との間にセパレータ補助支柱となる円形金属棒１２が配置されており、この円形金属棒１２がセパレータ巻取りローラ３１に連動して移動すると共に、セパレータ２の引き剥がし張力を一定とするように働かせる点が相違している。
【００３８】
具体的に言えば、偏光板１の接着剤面をＬＣＤガラスパネル４の表面上に貼り付けるとき、偏光板貼り付け機構における貼り付けローラ３１が反時計回り（左回り）に回転駆動［補強ローラ３２の方は時計回り（右回り）に回転駆動］して偏光板１の接着剤面とは反対の面を押圧しながらＬＣＤガラスパネル４の表面上に接着剤面を貼り付け、それに先立ってセパレータ巻取り機構におけるセパレータ巻取りローラ６が時計回り（右回り）に回転駆動してセパレータ２を巻取りする際、金属棒１２により偏光板１とセパレータ２との剥がし距離は一定となり、偏光板１への剥がし張力が一定になることにより、貼り付けローラ３１による偏光板１の接着剤面への貼り付けがムラ無く行われる様子を示している。又、セパレータ巻取りローラ６の回転でセパレータ２が剥がされる際の張力により偏光板１がセパレータ巻取りローラ６側に倒れ込まないという動作上の改善も可能になる。因みに、セパレータ２は短辺の長さに応じて巻き剥がし張力が変化するため、ＤＣ電源８の窓にはセパレータ２の短辺長さに対応した巻き取りトルクについてトルク表示することが好ましい。
【００３９】
図６は、この実施例２に係るＬＣＤ用偏光板貼り付け装置の概略構成を示した側面図である。
【００４０】
実施例２に係るＬＣＤ用偏光板貼り付け装置は、先の実施例１に係る装置と比べ、偏光板貼り付け機構として、貼り付けローラ３１の移動距離を制御するモータ１３と、貼り付けローラ３１の移動距離を定位置で停止させるカウンタ機能を持つ制御ボックス１５とを備える他、貼り付けローラ３１の移動にはモータ１３からのトルク伝達にギヤヘッドを介して送りネジ１４に接続して行い、制御ボックス１５のＩＣカウンタ機能に従ってＬＣＤガラスパネル４の長辺サイズに対応した移動距離を送りネジ１４の回転数により制御する機能を構築した点においても相違している。尚、ここでのモータ１３からのトルク伝達には、ベルトとギヤヘッドとを用いて構成しても同じ作用効果（機能）が得られる。
【産業上の利用可能性】
【００４１】
本発明のＬＣＤ用偏光板貼り付け装置は、液晶ＴＶ（ＬＣＤＴＶ）に代表される大型ＬＣＤガラスパネルの修理技術分野で偏光板に不注意に傷を付けてしまったとき等の偏光板の貼り替え修理に好適である他、タッチパネルの貼り付けにも適用可能である。
【図面の簡単な説明】
【００４２】
【図１】本発明の実施例１に係るＬＣＤ用偏光板貼り付け装置の概略構成を示した側面図である。
【図２】図１に示すＬＣＤ用偏光板貼り付け装置に備えられるセパレータ巻取り機構の細部を示した上面図である。
【図３】図１に示すＬＣＤ用偏光板貼り付け装置に備えられるセパレータ巻取り機構及び偏光板貼り付け機構の基本動作を説明するために示した要部の拡大模式図である。
【図４】図１に示すＬＣＤ用偏光板貼り付け装置に備えられるセパレータ巻取り機構及び偏光板貼り付け機構の動作機能を説明するために示したフローチャートである。
【図５】本発明の実施例２に係るＬＣＤ用偏光板貼り付け装置に備えられる偏光板貼り付け機構及びセパレータ巻取り機構の基本動作を説明するために示した要部の拡大模式図である。
【図６】図５に示すＬＣＤ用偏光板貼り付け装置の概略構成を示した側面図である。
【図７】周知の修理技術に供されるセパレータが接着剤により貼り付けられている偏光板を示した斜視図である。
【図８】図７に示すセパレータを一部剥がした状態の偏光板を示した斜視図である。
【図９】図７に示すセパレータを完全に剥がした後の偏光板をＬＣＤガラスパネルに貼り付けるためのＬＣＤ用偏光板貼り付け装置の基本構成を示した側面図である。
【符号の説明】
【００４３】
１  偏光板
２  セパレータ
３，３１  貼り付けローラ
４  ＬＣＤガラスパネル
５  装置本体
６  セパレータ巻取りローラ
７  ヒステリシスクラッチ
８  直流（ＤＣ）電源
９，１３  モータ
１０  変速ギヤヘッド
１１  軸受け部
１２  金属棒
１４  送りネジ
１５  制御ボックス
３２  補強ローラ
【図１】
2007298792.tif 000003
【図２】
2007298792.tif 000004
【図３】
2007298792.tif 000005
【図４】
2007298792.tif 000006
【図５】
2007298792.tif 000007
【図６】
2007298792.tif 000008
【図７】
2007298792.tif 000009
【図８】
2007298792.tif 000010
【図９】
2007298792.tif 000011